(57)【要約】      （修正有）【課題】乗馬のように跨がる感覚で精神的にリラックスをし、肉体的な疲れを癒すリラックス椅子を提供する。【解決手段】座面デザインは人体の太股から膝に類似した形状として跨がって座る感覚として精神的な安心感と癒しを与える。足乗せはブランコ式鐙を使用し吊るし紐の中間にスプリングの強弱調整バネを取付け足のトレーニングが出来、背面の側面には腰を包むパットを設け抱え込むような感覚とし、背面の背骨左右には数個の考案した球形回転強力磁石器を取付け血流の流れを補佐し、肉体的回復を助ける効果を持つ。【選択図】図１
0003144199.tif 000002
【実用新案登録請求の範囲】
【請求項１】
球形回転スプリング付強力磁石器を椅子の背面に複数組み込んだリラックス椅子。
【請求項２】
椅子の脇からブランコ式強弱調整スプリング付き鐙足載せを取り付けたリラックス椅子
【考案の詳細な説明】
【技術分野】
【０００１】  本考案はリラックス椅子に関する。
【背景技術】
【０００２】  従来のリラックス椅子は掛けやすい椅子か電動マッサージ内臓がおもで本考案の椅子はその中間の癒しと活力を高める椅子である。
【考案の開示】
【考案が解決しようとする課題】
【０００３】  一般のリラックス椅子の特性、油圧による高さ調整、背もたれの角度可変、ひじ掛け付、構造はもちろん、腰掛けるとゆうより乗馬のイメージのように跨る感覚で精神的にリラックスをし肉体的には疲れを癒す課題がある。
【課題を解決するための手段】
【０００４】  本考案椅子のデザインは腰掛けると言うより跨るような感覚とし背もたれ部分には球形回転強力磁石を数個配置して血流の流れをたすける、頭置き枕部分には集音マイクで集めた音声を増幅して頭置き枕の両側のスピーカーより鳴し軽い難聴の人に聞き取りやすくする、椅子の側面に酸素ボンベを内蔵し疲れがある時は吸入して細胞に酸素を送り疲労を回復させる、肘掛部分にも球形強力磁石を埋め込み手のひらのマッサージが出来る、など解決する手段とする。
【考案の効果】
【０００５】  本考案は球形磁石の磁気の力と上記の装置の配置装備により精神的疲れや肉体的疲労に対しリラックスと安らぎ回復させ明日への活力を与える効果がある。
【考案を実施するための最良の形態】
【実施例】
【０００６】  本考案の図面に従って説明する、（図１）はハギオ・チェア斜前面姿図で１二股乗馬形床面２球形磁石埋め込み式背もたれ２−ａ右２−ｂ左、脇部包み込みパット３頭置き枕３−ａ枕高さ調整ロック３−ｂ左側スピーカー４右側５左側の側面４−ａ右肘掛（球形磁石付）４−ｂ右集音マイク５−ａ左肘掛（球形磁石付）５−ｂ左集音マイク５−ｃ酸素マスク収納フタ５−ｄ酸素吸入ハンドルレバー５−ｅ酸素ボンベ収納フタロックボタン５−ｆマイク音量調整スライドツマミ５−ｇ酸素装置、増幅装置収納ボックスフタ６左足ブランコ式鐙７右足ブランコ式鐙８油圧式椅子柱８−ａ椅子油圧高さ調整レバー９球形強力磁石器【０００７】  ハギオ・チェア斜後面図（図２）に従って説明する、２−ｃ背もたれ角度調整レバー３−ｃ右側スピーカー９−ａは２球形磁石前後移動レバー９−ａ２ワイヤーシャフト９−ａ３ベベルギヤ９−ａ５磁石移動板１０駆動部カバー。【０００８】  （図３）９球形回転強力磁石器の説明、９−１球形強力磁石９−２磁石カバー９−３磁石押さえ内フタ９−４本体ケース９−５磁石クッションスプリング９−６押さえ底板９−７取付ビス穴２個、【０００９】  （図４）９磁石前後移動板９−ａ６駆動機構板９−ａ５磁石移動板９−ａ５１磁石取付移動板９−ａ５２駆動溶接ナット９−５３移動板スライドシャフト６個
（図５）９−ａ５３１駆動シャフトスプリング【００１０】  （図６）磁石移動動作説明９−ａ磁石移動ハンドルレバーを矢印方向に前後すると９−ａ１クラッチが９−ａ１１回転方向切換えスイッチにより右・左の切換で回転クラッチ方向が切換えられる
回転は９−ａ２ワイヤーシャフトを伝わり９−ａ６歯車取付板の９−ａ３１歯車シャフトを回転し９−ａ３ベベルギヤを回転させ９−ａ４駆動ネジシャフトの回転により９−ａ５２ナット溶接された９−ａ５移動板が移動し９磁石部全体が前後に移動調整されます。【００１１】  （図７）椅子背もたれ角度調整のロック機構図で２−ｃレバーを矢印の方向へ倒すと２−ｃ１軸が回転し２−ｃ２楕円板が回転することにより２−ｃ４爪歯車の回転を２−ｃ７スプリングで固定している２−ｃ３ハサミ形つめ板を開きフリー回転となることで２−ｃ６背もたれ回転軸が２−ｃ５のバネの力により前方向に傾きます、
設定したい角度に背もたれをきめ２−ｃレバーを戻しますとロックが掛ります。【００１２】  （図８）酸素吸入装置はボンベ内臓方式で５−ｄレバーを矢印の方向に押すと５−ｄ１シャフトが回り５−ｄ１１レバーを矢印の方向に回し酸素ボンベノズルを押し酸素を噴射し５−ｄ３チューブを通り５−ｄ４マスクより酸素が噴射され吸入出来ます。【００１３】  （図９）ステレオ音響増幅系統図で３−ａ１電源スイッチをＯＮにしますと３−ａ２電源部から電流が供給され３−ａ１０増幅器が動作し５−ｂ右５−ｂ左のステレオ集音マイクを前面に内蔵して３頭置き枕の左右に３−ａ右３−ｂ左にステレオスピーカーを設置し５−ｆ音量調整器で適音にし軽い難聴者に音声を聞き良くした。【００１４】  （図１０）ブランコ式鐙器で７右足置き６左足置きとし木製加工として椅子脇より下げる６７−ａは木製足踏み台６７−ｂ台吊り下げバンド６７−ｃ吊り下げ紐６７−ｄ足筋肉トレーニング用コイルバネ（強弱調整可）６７−ｅ椅子脇取付金具。
以上のいろいろな設備により精神的安らぎと肉体的癒しの効果がある。
【図面の簡単な説明】
【００１５】
【図１】  ハギオ・チェア斜前面姿図
【図２】  ハギオ・チェア斜後面姿図
【図３】  球形回転強力磁石器
【図４】  磁石前後移動板
【図５】  磁石前後移動板スライドシャフト図
【図６】  磁石前後移動機構図
【図７】  背もたれストッパー開閉機構図
【図８】  酸素ボンベ吸入装置機構図
【図９】  ステレオ音響増幅装置系統図
【図１０】  ブランコ式鐙
【符号の説明】
【００１６】  １  二股乗馬形床面
２  球形磁石埋め込み式背もたれ
２−ａ  脇包みパット
２−ｂ  左脇包みパット
２−ｃ  背もたれ角度調整レバー
２−ｃ１  軸
２−ｃ２  楕円板
２−ｃ３  ハサミ形つめ板
２−ｃ４  爪歯車
２−ｃ５  バネ
２−ｃ６  背もたれ回転軸
２−ｃ７  スプリング
３  頭置き枕
３−ａ  枕高さ調整ロック
３−ｂ  左側スピーカー
３−ｃ  右側スピーカー
４  右側面
４−ａ  右肘掛（球形磁石付）
４−ｂ  右集音マイク
５  左側面
５−ａ  左肘掛（球形磁石付）
５−ｂ  左集音マイク
５−ｃ  酸素マスク収納フタ
５−ｄ  酸素吸入ハンドルレバー
５−ｅ  酸素ボンベ収納フタロックボタン
５−ｆ  マイク音量調整スライドツマミ
５−ｇ  酸素装置・増幅装置収納ボックスフタ
６  左ブランコ式鐙器
６７−ａ  足踏み台
６７−ｂ  吊るしバンド
６７−ｃ  吊るし紐
６７−ｄ  強弱調整スプリングバネ
６７−ｅ  座側面取付わっか金具
７  右ブランコ式鐙器
８  油圧式椅子柱
８−ａ  椅子油圧高さ調整レバー
９  球形回転強力磁石器
９−１  球形強力磁石
９−２  磁石カバー
９−３  磁石押さえフタ
９−４  本体ケース
９−５  磁石クッションスプリング
９−６  押さえ底板
９−７  取付ビス穴２個
９−ａ  レバー
９−ａ１  クラッチ
９−ａ２  ワイヤーシャフト
９−ａ３  ベベルギヤ
９−ａ４  駆動ネジシャフト
９−ａ５  磁石移動板
９−ａ６  駆動機構板
９−ａ１１  回転切換えスイッチ
９−ａ３１  歯車シャフト
９−ａ５１  球形磁石取付穴
９−ａ５２  移動板溶接ナット
９−ａ５３  移動板スライドシャフト
９−ａ５３１  駆動シャフトスプリング
１０  磁石移動装置部カバー
【図１】
0003144199.tif 000003
【図２】
0003144199.tif 000004
【図３】
0003144199.tif 000005
【図４】
0003144199.tif 000006
【図５】
0003144199.tif 000007
【図６】
0003144199.tif 000008
【図７】
0003144199.tif 000009
【図８】
0003144199.tif 000010
【図９】
0003144199.tif 000011
【図１０】
0003144199.tif 000012